(57)【要約】【課題】蛍光体が発光した可視光によってある物を照らして見えるようにする機能を向上させる。【解決手段】紫外光を照射する紫外線ＬＥＤ基板アセンブリ１と、紫外線ＬＥＤ基板アセンブリ１からの紫外光によって励起せしめられて可視光を発光する蛍光体２ａと、蛍光体２ａを塗布するか、あるいは、練り込むことによって構成された可視光源２とを具備する照明装置において、可視光源２からの可視光を配光制御するためのリフレクタ３を設けた。好ましくは、リフレクタ３の反射面の焦点Ｐ上あるいはその近傍に可視光源２を配置した。【選択図】図１
2007173177.tif 000002
【特許請求の範囲】
【請求項１】
紫外光を照射する紫外光源と、前記紫外光源からの紫外光によって励起せしめられて可視光を発光する蛍光体と、前記蛍光体を塗布するか、あるいは、練り込むことによって構成された可視光源とを具備する照明装置において、前記可視光源からの可視光を配光制御するための可視光制御手段を設けたことを特徴とする照明装置。
【請求項２】
前記可視光源からの可視光を反射するための凹状の反射面を備えたリフレクタによって前記可視光制御手段を構成し、前記リフレクタの反射面の焦点上あるいはその近傍に前記可視光源を配置したことを特徴とする請求項１に記載の照明装置。
【請求項３】
前記蛍光体が塗布されるか、あるいは、練り込まれる可視光源本体部分と、前記リフレクタと、前記紫外光源を支持するための紫外光源支持手段とを一部材によって形成したことを特徴とする請求項２に記載の照明装置。
【請求項４】
前記リフレクタに紫外光通過穴を形成したことを特徴とする請求項３に記載の照明装置。
【請求項５】
前記リフレクタの外側表面によって前記紫外光源を支持することを特徴とする請求項４に記載の照明装置。
【請求項６】
前記紫外光源を支持する部分における前記リフレクタの外側表面の法線が前記可視光源本体部分を指向するように、前記リフレクタの外側表面を形成したことを特徴とする請求項５に記載の照明装置。
【請求項７】
前記蛍光体が塗布されるか、あるいは、練り込まれる可視光源本体部分と、前記紫外光源から放射された紫外光を前記可視光源本体部分まで導くための導光部分と、前記可視光源本体部分を支持するための可視光源本体部分支持手段とを一部材によって形成したことを特徴とする請求項２に記載の照明装置。
【請求項８】
紫外光を照射する紫外光源と、前記紫外光源からの紫外光によって励起せしめられて可視光を発光する蛍光体と、前記蛍光体を塗布することによって構成された可視光源とを具備する照明装置において、前記蛍光体からの可視光を配光制御する可視光制御手段として、凹状の反射面を備えたリフレクタを設け、前記蛍光体を前記リフレクタの反射面に塗布したことを特徴とする照明装置。
【発明の詳細な説明】
【技術分野】
【０００１】
本発明は、紫外光によって励起せしめられて可視光を発光する蛍光体を具備する照明装置に関し、特には、蛍光体が発光した可視光によってある物を照らして見えるようにする機能を向上させることができる照明装置に関する。
【０００２】
詳細には、本発明は、特には、蛍光体が発光した可視光が配光制御されない場合よりも、蛍光体が発光した可視光によってある物を照らして見えるようにする機能を向上させることができる照明装置に関する。
【背景技術】
【０００３】
従来から、紫外線を照射する紫外線ＬＥＤ光源と、紫外線ＬＥＤ光源からの紫外線によって発光する蛍光体と、蛍光体が塗布されたシートとを具備する蛍光体照明器具（照明装置）が知られている。この種の蛍光体照明器具（照明装置）の例としては、例えば特開２００２−１３３９３８号公報に記載されたものがある。
【０００４】
特開２００２−１３３９３８号公報に記載された蛍光体照明器具（照明装置）では、紫外線ＬＥＤ光源が支持柱の先端に取り付けられ、蛍光体が塗布されたシートが、支持柱の中ほどに取り付けられた書見台上に配置されている。更に、紫外線が、紫外線ＬＥＤ光源から書見台に向かって照射されている。
【０００５】
それにより、特開２００２−１３３９３８号公報に記載された蛍光体照明器具（照明装置）では、書見台上のシートに塗布された蛍光体が、紫外線ＬＥＤ光源からの紫外線によって発光せしめられている。その結果、特開２００２−１３３９３８号公報に記載された蛍光体照明器具（照明装置）は、空間を演出する照明として機能している。
【０００６】
ところが、特開２００２−１３３９３８号公報に記載された蛍光体照明器具（照明装置）では、蛍光体が発光した光が、配光制御されることなく、そのまま放射されている。そのため、特開２００２−１３３９３８号公報に記載された蛍光体照明器具（照明装置）は、空間を演出する照明として機能するものの、蛍光体が発光した光によってある物を照らして見えるようにする照明として十分に機能することができない。
【０００７】
また、従来から、紫外線を放射するＬＥＤと、ＬＥＤからの紫外線によって励起せしめられて発光する蛍光顔料と、蛍光顔料を混練して成形された棚板とを具備する演出照明装置が知られている。この種の演出照明装置の例としては、例えば特開２００４−１０３９１２号公報に記載されたものがある。
【０００８】
特開２００４−１０３９１２号公報に記載された演出照明装置では、蛍光顔料を混練して成形された棚板が、浴室、洗面所、トイレ、キッチン等の壁に取り付けられている。更に、紫外線を放射するＬＥＤが、棚板の周囲に配置されるか、あるいは、棚板の内部に埋め込まれている。
【０００９】
それにより、特開２００４−１０３９１２号公報に記載された演出照明装置では、棚板内に混練された蛍光体が、ＬＥＤからの紫外線によって励起発光せしめられている。その結果、特開２００４−１０３９１２号公報に記載された演出照明装置は、空間を演出する照明として機能している。
【００１０】
ところが、特開２００４−１０３９１２号公報に記載された演出照明装置においても、蛍光体が発光した光が、配光制御されることなく、そのまま放射されている。そのため、特開２００４−１０３９１２号公報に記載された演出照明装置も、空間を演出する照明として機能するものの、蛍光体が発光した光によってある物を照らして見えるようにする照明として十分に機能することができない。
【００１１】
【特許文献１】特開２００２−１３３９３８号公報
【特許文献２】特開２００４−１０３９１２号公報
【発明の開示】
【発明が解決しようとする課題】
【００１２】
前記問題点に鑑み、本発明は、蛍光体が発光した可視光によってある物を照らして見えるようにする機能を向上させることができる照明装置を提供することを目的とする。
【００１３】
詳細には、本発明は、蛍光体が発光した可視光が配光制御されない場合よりも、蛍光体が発光した可視光によってある物を照らして見えるようにする機能を向上させることができる照明装置を提供することを目的とする。
【課題を解決するための手段】
【００１４】
請求項１に記載の発明によれば、紫外光を照射する紫外光源と、前記紫外光源からの紫外光によって励起せしめられて可視光を発光する蛍光体と、前記蛍光体を塗布するか、あるいは、練り込むことによって構成された可視光源とを具備する照明装置において、前記可視光源からの可視光を配光制御するための可視光制御手段を設けたことを特徴とする照明装置が提供される。
【００１５】
請求項２に記載の発明によれば、前記可視光源からの可視光を反射するための凹状の反射面を備えたリフレクタによって前記可視光制御手段を構成し、前記リフレクタの反射面の焦点上あるいはその近傍に前記可視光源を配置したことを特徴とする請求項１に記載の照明装置が提供される。
【００１６】
請求項３に記載の発明によれば、前記蛍光体が塗布されるか、あるいは、練り込まれる可視光源本体部分と、前記リフレクタと、前記紫外光源を支持するための紫外光源支持手段とを一部材によって形成したことを特徴とする請求項２に記載の照明装置が提供される。
【００１７】
請求項４に記載の発明によれば、前記リフレクタに紫外光通過穴を形成したことを特徴とする請求項３に記載の照明装置が提供される。
【００１８】
請求項５に記載の発明によれば、前記リフレクタの外側表面によって前記紫外光源を支持することを特徴とする請求項４に記載の照明装置が提供される。
【００１９】
請求項６に記載の発明によれば、前記紫外光源を支持する部分における前記リフレクタの外側表面の法線が前記可視光源本体部分を指向するように、前記リフレクタの外側表面を形成したことを特徴とする請求項５に記載の照明装置が提供される。
【００２０】
請求項７に記載の発明によれば、前記蛍光体が塗布されるか、あるいは、練り込まれる可視光源本体部分と、前記紫外光源から放射された紫外光を前記可視光源本体部分まで導くための導光部分と、前記可視光源本体部分を支持するための可視光源本体部分支持手段とを一部材によって形成したことを特徴とする請求項２に記載の照明装置が提供される。
【００２１】
請求項８に記載の発明によれば、紫外光を照射する紫外光源と、前記紫外光源からの紫外光によって励起せしめられて可視光を発光する蛍光体と、前記蛍光体を塗布することによって構成された可視光源とを具備する照明装置において、前記蛍光体からの可視光を配光制御する可視光制御手段として、凹状の反射面を備えたリフレクタを設け、前記蛍光体を前記リフレクタの反射面に塗布したことを特徴とする照明装置が提供される。
【発明の効果】
【００２２】
請求項１及び２に記載の照明装置では、蛍光体を塗布するか、あるいは、練り込むことによって構成された可視光源からの可視光を配光制御するための可視光制御手段が設けられている。好ましくは、可視光源からの可視光を反射するための凹状の反射面を備えたリフレクタによって可視光制御手段が構成されている。更に好ましくは、リフレクタの反射面の焦点上あるいはその近傍に可視光源が配置されている。
【００２３】
そのため、請求項１及び２に記載の照明装置によれば、蛍光体が発光した可視光が配光制御されない場合よりも、蛍光体が発光した可視光によってある物を照らして見えるようにする機能を向上させることができる。
【００２４】
請求項３に記載の照明装置では、蛍光体が塗布されるか、あるいは、練り込まれる可視光源本体部分と、可視光源からの可視光を反射するための凹状の反射面を備えたリフレクタと、紫外光源を支持するための紫外光源支持手段とが、一部材によって形成されている。
【００２５】
そのため、請求項３に記載の照明装置によれば、部品点数を増加させることなく、蛍光体が発光した可視光によってある物を照らして見えるようにする機能を向上させることができる。つまり、請求項３に記載の照明装置によれば、組立コストを増加させることなく、蛍光体が発光した可視光によってある物を照らして見えるようにする機能を向上させることができる。
【００２６】
請求項４及び５に記載の照明装置では、紫外光通過穴がリフレクタに形成されている。好ましくは、リフレクタの外側表面によって紫外光源が支持されている。換言すれば、紫外光源が、リフレクタの反射面によって支持されるのではなく、リフレクタの反射面とは反対側の外側表面によって支持されている。つまり、紫外光源支持手段がリフレクタの外側表面によって構成されている。
【００２７】
そのため、請求項４及び５に記載の照明装置によれば、リフレクタの反射面の一部が紫外光源によって占有され、反射面として機能しなくなるのに伴って、リフレクタの反射面から照射される可視光の量が低減してしまうのを抑制することができる。
【００２８】
紫外光源を支持する部分におけるリフレクタの肉厚を均一に設定すると、リフレクタの外側表面によって支持された紫外光源の主光軸線が、リフレクタの反射面に対して垂直な方向に指向してしまい、可視光源本体部分を指向しなくなってしまう。
【００２９】
この点に鑑み、請求項６に記載の照明装置では、紫外光源を支持する部分におけるリフレクタの外側表面の法線が可視光源本体部分を指向するように、リフレクタの外側表面が形成されている。詳細には、紫外光源を支持する部分におけるリフレクタの肉厚が不均一に設定されている。そのため、請求項６に記載の照明装置によれば、リフレクタに対して紫外光源を微調整して取り付ける必要なく、紫外光源の主光軸線が可視光源本体部分を指向するようにすることができる。
【００３０】
請求項７に記載の照明装置では、蛍光体が塗布されるか、あるいは、練り込まれる可視光源本体部分と、紫外光源から放射された紫外光を可視光源本体部分まで導くための導光部分と、可視光源本体部分を支持するための可視光源本体部分支持手段とが、一部材によって形成されている。
【００３１】
詳細には、請求項７に記載の照明装置では、リフレクタの反射面の焦点上あるいはその近傍に可視光源本体部分を配置して支持するための可視光源本体部分支持手段と、紫外光源から放射された紫外光を可視光源本体部分まで導くための導光部分とが、一部材によって形成されている。
【００３２】
そのため、請求項７に記載の照明装置によれば、導光部分とは別個に可視光源本体部分支持手段が設けられるのに伴って、可視光源から放射された可視光が可視光源本体部分支持手段によって遮断されてしまうおそれを低減することができる。
【００３３】
つまり、請求項７に記載の照明装置によれば、導光部分とは別個に可視光源本体部分支持手段が設けられる場合よりも、可視光の照射量を増加させ、明るく照らすことができる。
【００３４】
請求項８に記載の照明装置では、蛍光体からの可視光を配光制御する可視光制御手段が設けられている。詳細には、蛍光体からの可視光を反射するための凹状の反射面を備えたリフレクタによって可視光制御手段が構成されている。そのため、請求項８に記載の照明装置によれば、蛍光体が発光した可視光が配光制御されない場合よりも、蛍光体が発光した可視光によってある物を照らして見えるようにする機能を向上させることができる。
【００３５】
更に、請求項８に記載の照明装置では、蛍光体がリフレクタの反射面に塗布されている。そのため、請求項８に記載の照明装置によれば、蛍光体を塗布することによって構成された可視光源を支持するための可視光源支持手段を、リフレクタとは別個に設ける必要性を排除することができる。つまり、リフレクタとは別個に可視光源支持手段が設けられる場合よりも、製造コストを抑制することができる。
【００３６】
すなわち、請求項８に記載の照明装置によれば、リフレクタとは別個に可視光源支持手段が設けられる場合よりも製造コストを抑制しつつ、蛍光体が発光した可視光が配光制御されない場合よりも、蛍光体が発光した可視光によってある物を照らして見えるようにする機能を向上させることができる。
【発明を実施するための最良の形態】
【００３７】
以下、本発明の照明装置の第１の実施形態について説明する。図１〜図３は第１の実施形態の照明装置の断面図である。詳細には、図１は紫外光が照射されていない状態を示しており、図２は紫外光が照射されている状態を示しており、図３は可視光が照射されている状態を示している。
【００３８】
図１〜図３において、１は例えば波長が４１０ｎｍ以下の紫外光Ａを照射するための紫外光源としての紫外線ＬＥＤ基板アセンブリを示している。２は紫外線ＬＥＤ基板アセンブリ１からの紫外光Ａによって励起せしめられて可視光Ｂを発光する蛍光体を塗布することにより構成された可視光源を示している。
【００３９】
第１の実施形態の照明装置では、蛍光体を塗布することにより可視光源２が構成されているが、第２の実施形態の照明装置では、代わりに、例えばガラスのような透明な材料に蛍光体を練り込むことによって可視光源２を構成することも可能である。
【００４０】
また、図１〜図３において、３は可視光源２からの可視光Ｂを反射するためのリフレクタを示している。４は可視光源２を支持するための支持部を示している。５はレンズ部を示しており、Ｐはリフレクタ３の反射面の焦点（詳細には、図１〜図３の手前側から奥側に延びている焦線）を示している。
【００４１】
第１の実施形態の照明装置では、レンズ部５が素通しレンズによって構成されているが、第３の実施形態の照明装置では、代わりに、レンズ部５の上面、下面、あるいは、それらの両面に、魚眼カット、魚眼フレネル、リニアプリズム、フルートカット凹凸などを施すことも可能である。
【００４２】
また、第１の実施形態の照明装置では、可視光源２の一部を構成する可視光源本体部分２ｂと、リフレクタ３と、支持部４とが、一部材によって構成されている。図４は一部材によって構成された可視光源本体部分２ｂと、リフレクタ３と、支持部４とを示した断面図である。図５は可視光源本体部分２ｂと、リフレクタ３と、支持部４とを図４の右上側から見た斜視図である。図６は可視光源本体部分２ｂと、リフレクタ３と、支持部４とを図４の左上側から見た斜視図である。
【００４３】
図４〜図６において、３ａはリフレクタ３の反射面を構成するリフレクタ３の内側表面を示している。第１の実施形態の照明装置では、図４〜図６に示すように、リフレクタ３の反射面として機能するリフレクタ３の内側表面３ａが、概略放物柱面によって構成されている。第４の実施形態の照明装置では、代わりに、リフレクタ３の内側表面３ａを自由曲面、概略平面などによって構成したり、あるいは、リフレクタ３の内側表面３ａの断面曲線（図４参照）を円弧によって構成したり、あるいは、リフレクタ３の内側表面３ａを複数の面によって構成したりすることも可能である。
【００４４】
また、図４〜図６において、３ｂは紫外線ＬＥＤ基板アセンブリ１（図２参照）から放射された紫外光Ａ（図２、図５および図６参照）を通過させるためにリフレクタ３に形成された紫外光通過穴を示している。３ｃはリフレクタ３の外側表面を示している。３ｄは紫外線ＬＥＤ基板アセンブリ１を支持するための支持領域を示している。
【００４５】
第１の実施形態の照明装置では、図４〜図６に示すように、可視光源本体部分２ｂが概略円筒状に形成され、リフレクタ３が概略放物柱状に形成され、支持部４が概略直方体形状に形成され、それらが一部材によって構成されている。
【００４６】
図７は第１の実施形態の照明装置の可視光源２を説明するための図である。第１の実施形態の照明装置では、図７に示すように、リフレクタ３と一体的に形成された可視光源本体部分２ｂに対して蛍光体２ａを塗布することにより、可視光源２が構成されている。また、図示しないが、上述したように、第２の実施形態の照明装置では、透明な可視光源本体部分２ｂに蛍光体２ａを練り込むことにより、可視光源２が構成されている。
【００４７】
また、第１の実施形態の照明装置では、図７に示すように、可視光源２が、リフレクタ３の放物柱状反射面の焦点（詳細には、図７の手前側から奥側に延びている焦線）Ｐ上、あるいは、その近傍に配置されている。
【００４８】
第１の実施形態の照明装置では、図２、図５、図６および図７に示すように、可視光源本体部分２ｂに塗布された蛍光体２ａに向かって、紫外線ＬＥＤ基板アセンブリ１から紫外光Ａが照射されると、紫外光Ａによって蛍光体２ａが励起せしめられる。それにより、図３および図７に示すように、蛍光体２ａが可視光Ｂを発光し、その蛍光体２ａからの可視光Ｂがリフレクタ３の放物柱状反射面によって配光制御され、図３の上側に向かって照射される。
【００４９】
そのため、第１の実施形態の照明装置によれば、リフレクタ３が設けられていない場合よりも、蛍光体２ａが発光した可視光Ｂによって、図３の上側に配置された物（図示せず）を照らして見えるようにする機能を向上させることができる。詳細には、第１の実施形態の照明装置によれば、可視光源本体部分２ｂのみならず、リフレクタ３の放物柱状反射面（内側表面３ａ）の全面が、図３の上側から柔らかく光って見えるようにすることができる。
【００５０】
また、第１の実施形態の照明装置では、図４に示すように、可視光源本体部分２ｂとリフレクタ３と支持部４とが一部材によって形成されているため、部品点数を増加させることなく、蛍光体２ａが発光した可視光Ｂによって、図３の上側に配置された物（図示せず）を照らして見えるようにする機能を向上させることができる。
【００５１】
更に、第１の実施形態の照明装置では、図３〜図６に示すように、紫外光通過穴３ｂがリフレクタ３に形成され、リフレクタ３の外側表面３ｃによって紫外線ＬＥＤ基板アセンブリ１が支持されている。換言すれば、紫外線ＬＥＤ基板アセンブリ１が、リフレクタ３の放物柱状反射面（内側表面３ａ）によって支持されるのではなく、リフレクタ３の放物柱状反射面（内側表面３ａ）とは反対側の外側表面３ｃによって支持されている。つまり、紫外線ＬＥＤ基板アセンブリ１を支持するための支持領域３ｄが、リフレクタ３の外側表面３ｃによって構成されている。
【００５２】
そのため、第１の実施形態の照明装置によれば、リフレクタ３の放物柱状反射面（内側表面３ａ）の一部が紫外線ＬＥＤ基板アセンブリ１によって占有され、反射面として機能しなくなるのに伴って、リフレクタ３の放物柱状反射面（内側表面３ａ）から照射される可視光Ｂ（図３参照）の量が低減してしまうのを抑制することができる。
【００５３】
図８は図４〜図６に示した支持領域３ｄを説明するための拡大断面図である。図８において、１ａは紫外線ＬＥＤ基板アセンブリ１の光源点を示しており、１ｂは紫外線ＬＥＤ基板アセンブリ１の表面のうち、リフレクタ３の外側表面３ｃに当接せしめられる当接面を示している。
【００５４】
第１の実施形態の照明装置では、図３および図８に示すように、リフレクタ３の放物柱状反射面（内側表面３ａ）の焦点（詳細には、図３および図８の手前側から奥側に延びている焦線）Ｐから放射状に拡散せしめられた可視光Ｂが、リフレクタ３の放物柱状反射面（内側表面３ａ）によって反射せしめられ、図３および図８の上向きに照射される。
【００５５】
つまり、第１の実施形態の照明装置では、図８に示すように、リフレクタ３の放物柱状反射面（内側表面３ａ）の法線Ｌ２が、リフレクタ３の放物柱状反射面（内側表面３ａ）の焦点Ｐを指向しておらず、リフレクタ３の放物柱状反射面（内側表面３ａ）の焦点Ｐからの可視光Ｂの入射光に対して角度θａをなすと共に、図８の上向きの可視光Ｂの反射光に対して角度θａをなしている。
【００５６】
従って、もし仮に、紫外線ＬＥＤ基板アセンブリ１を支持するための支持領域３ｄにおけるリフレクタ３の肉厚ｄ１，ｄ２が均一に設定されていると、リフレクタ３の外側表面３ｃによって支持された紫外線ＬＥＤ基板アセンブリ１の主光軸線Ｌ３が、法線Ｌ２に一致してしまい、リフレクタ３の放物柱状反射面（内側表面３ａ）の焦点Ｐを指向しなくなってしまう。
【００５７】
この点に鑑み、第１の実施形態の照明装置では、図８に示すように、紫外線ＬＥＤ基板アセンブリ１を支持するための支持領域３ｄにおけるリフレクタ３の外側表面３ｃの法線Ｌ１がリフレクタ３の放物柱状反射面（内側表面３ａ）の焦点Ｐを指向するように、リフレクタ３の外側表面３ｃが形成されている。詳細には、第１の実施形態の照明装置では、紫外線ＬＥＤ基板アセンブリ１を支持するための支持領域３ｄにおけるリフレクタ３の肉厚ｄ１，ｄ２が不均一に設定されている（ｄ１＞ｄ２）。
【００５８】
そのため、第１の実施形態の照明装置によれば、リフレクタ３に対して紫外線ＬＥＤ基板アセンブリ１を微調整して取り付ける必要なく、紫外線ＬＥＤ基板アセンブリ１の主光軸線Ｌ３がリフレクタ３の放物柱状反射面（内側表面３ａ）の焦点Ｐを指向するようにすることができる。
【００５９】
図９および図１０は可視光源本体部分２ｂのバリエーションを説明するための図である。第１の実施形態の照明装置では、図５、図６および図９（Ａ）に示すように、概略円筒状の可視光源本体部分２ｂの表面に蛍光体２ａを塗布することによって可視光源２が構成され、第２の実施形態の照明装置では、概略円筒状の可視光源本体部分２ｂの内部に蛍光体２ａを練り込むことによって可視光源２が構成されているが、第５の実施形態の照明装置では、図９（Ｂ）に示すように、概略三角柱状の可視光源本体部分２ｂの表面に蛍光体２ａを塗布するか、あるいは、概略三角柱状の可視光源本体部分２ｂの内部に蛍光体２ａを練り込むことによって可視光源２を構成することも可能である。
【００６０】
また、第６の実施形態の照明装置では、図９（Ｃ）に示すように、概略直方体形状の可視光源本体部分２ｂの表面に蛍光体２ａを塗布するか、あるいは、概略直方体形状の可視光源本体部分２ｂの内部に蛍光体２ａを練り込むことによって可視光源２を構成することも可能である。
【００６１】
更に、図示しないが、第７の実施形態の照明装置では、任意の多角柱状の可視光源本体部分２ｂの表面に蛍光体２ａを塗布するか、あるいは、任意の多角柱状の可視光源本体部分２ｂの内部に蛍光体２ａを練り込むことによって可視光源２を構成することも可能である。
【００６２】
また、第８の実施形態の照明装置では、図１０（Ａ）に示すように、概略円筒状の可視光源本体部分２ｂおよび概略直方体形状の支持部４の両方の表面に蛍光体２ａを塗布するか、あるいは、それらの内部に蛍光体２ａを練り込むことによって可視光源２を構成することも可能である。
【００６３】
更に、第９の実施形態の照明装置では、図１０（Ｂ）に示すように、概略三角柱状の可視光源本体部分２ｂおよび概略直方体形状の支持部４の両方の表面に蛍光体２ａを塗布するか、あるいは、それらの内部に蛍光体２ａを練り込むことによって可視光源２を構成することも可能である。
【００６４】
また、第１０の実施形態の照明装置では、図１０（Ｃ）に示すように、概略直方体形状の可視光源本体部分２ｂおよび概略直方体形状の支持部４の両方の表面に蛍光体２ａを塗布するか、あるいは、それらの内部に蛍光体２ａを練り込むことによって可視光源２を構成することも可能である。
【００６５】
更に、図示しないが、第１１の実施形態の照明装置では、任意の多角柱状の可視光源本体部分２ｂおよび概略直方体形状の支持部４の両方の表面に蛍光体２ａを塗布するか、あるいは、それらの内部に蛍光体２ａを練り込むことによって可視光源２を構成することも可能である。
【００６６】
以下、本発明の照明装置の第１２の実施形態について説明する。第１２の実施形態の照明装置は、後述する点を除き、上述した第１の実施形態の照明装置とほぼ同様に構成されている。従って、第１２の実施形態の照明装置によれば、後述する点を除き、上述した第１の実施形態の照明装置とほぼ同様の効果を奏することができる。
【００６７】
図１１は第１２の実施形態の照明装置を概略的に示した斜視図である。第１の実施形態の照明装置では、図５に示すように、リフレクタ３の反射面（内側表面３ａ）が概略放物柱状に形成され、可視光源本体部分２ｂが概略円筒状に形成され、支持部４が概略直方体形状に形成されているが、第１２の実施形態の照明装置では、図１１に示すように、所定の軸線Ｌ０を中心に放物線を回転させることにより得られた回転放物面によってリフレクタ３の反射面（内側表面３ａ）が構成され、可視光源本体部分２ｂが概略球状に形成され、支持部４が概略円筒状に形成されている。
【００６８】
第１２の実施形態の照明装置では、図１１に示すように、可視光源本体部分２ｂに塗布された蛍光体２ａ（図７参照）に向かって、紫外線ＬＥＤ基板アセンブリ１から紫外光Ａ（図２参照）が照射されると、紫外光Ａによって蛍光体２ａが励起せしめられる。それにより、蛍光体２ａが可視光Ｂ（図３参照）を発光し、その蛍光体２ａからの可視光Ｂがリフレクタ３の回転放物反射面（内側表面３ａ）によって配光制御され、図１１の上側に向かって照射される。
【００６９】
そのため、第１２の実施形態の照明装置によれば、リフレクタ３が設けられていない場合よりも、蛍光体２ａが発光した可視光Ｂによって、図１１の上側に配置された物（図示せず）を照らして見えるようにする機能を向上させることができる。詳細には、第１２の実施形態の照明装置によれば、可視光源本体部分２ｂのみならず、リフレクタ３の回転放物反射面（内側表面３ａ）の全面が、図１１の上側から柔らかく光って見えるようにすることができる。
【００７０】
以下、本発明の照明装置の第１３の実施形態について説明する。第１３の実施形態の照明装置は、後述する点を除き、上述した第１の実施形態の照明装置とほぼ同様に構成されている。従って、第１３の実施形態の照明装置によれば、後述する点を除き、上述した第１の実施形態の照明装置とほぼ同様の効果を奏することができる。
【００７１】
図１２〜図１４は第１３の実施形態の照明装置の断面図である。詳細には、図１２は紫外光Ａが照射されていない状態を示しており、図１３は紫外光Ａが照射されている状態を示しており、図１４は可視光Ｂが照射されている状態を示している。
【００７２】
第１の実施形態の照明装置では、図４に示すように、可視光源本体部分２ｂとリフレクタ３と支持部４とが一部材によって構成されているが、第１３の実施形態の照明装置では、代わりに、可視光源本体部分２ｂと支持部４とが一部材によって構成され、リフレクタ３とレンズ部５とが一部材によって構成されている。
【００７３】
図１５は一部材によって構成されたリフレクタ３とレンズ部５とを示した断面図である。図１６は第１３の実施形態の照明装置の斜視図である。図１７は第１３の実施形態の照明装置の可視光源２を説明するための図である。第１３の実施形態の照明装置では、図１７に示すように、可視光源本体部分２ｂおよび支持部４が、例えばガラスのような透明な材料によって形成され、支持部４の下端から進入した紫外光Ａ（図１３および図１６参照）を蛍光体２ａまで導くことができるように構成されている。つまり、第１３の実施形態の照明装置では、支持部４が、可視光源本体部分２ｂを支持する機能と、紫外光Ａを蛍光体２ａまで導く機能とを有している。
【００７４】
第１３の実施形態の照明装置では、可視光源本体部分２ｂの表面に蛍光体２ａを塗布することによって可視光源２が構成されているが、第１４の実施形態の照明装置では、透明な可視光源本体部分２ｂの内部に蛍光体２ａを練り込むことによって可視光源２を構成することも可能である。
【００７５】
第１３の実施形態の照明装置では、図１３に示すように、可視光源本体部分２ｂに塗布された蛍光体２ａに向かって、紫外線ＬＥＤ基板アセンブリ１から紫外光Ａが照射されると、紫外光Ａによって蛍光体２ａが励起せしめられる。それにより、図１４に示すように、蛍光体２ａが可視光Ｂを発光し、その蛍光体２ａからの可視光Ｂがリフレクタ３の放物柱状反射面（内側表面３ａ（図１５および図１６参照））によって配光制御され、図１４の上側に向かって照射される。
【００７６】
そのため、第１３の実施形態の照明装置によれば、リフレクタ３が設けられていない場合よりも、蛍光体２ａが発光した可視光Ｂによって、図１４の上側に配置された物（図示せず）を照らして見えるようにする機能を向上させることができる。詳細には、第１３の実施形態の照明装置によれば、可視光源本体部分２ｂのみならず、リフレクタ３の放物柱状反射面（内側表面３ａ）の全面が、図１４の上側から柔らかく光って見えるようにすることができる。
【００７７】
詳細には、第１３の実施形態の照明装置では、上述したように、支持部４が、可視光源本体部分２ｂを支持する機能と、紫外光Ａを蛍光体２ａまで導く機能とを有している。そのため、第１３の実施形態の照明装置によれば、可視光源本体部分２ｂを支持する部材と紫外光Ａを導く部材とが別個に設けられるのに伴って、可視光源２から放射された可視光Ｂが、可視光源本体部分２ｂを支持する部材によって遮断されてしまうおそれを低減することができる。つまり、第１３の実施形態の照明装置によれば、可視光源本体部分２ｂを支持する部材と紫外光Ａを導く部材とが別個に設けられる場合よりも、可視光Ｂの照射量を増加させ、明るく照らすことができる。
【００７８】
図１８および図１９は可視光源本体部分２ｂのバリエーションを説明するための図である。第１３の実施形態の照明装置では、図１７および図１８（Ａ）に示すように、概略円筒状の可視光源本体部分２ｂの表面に蛍光体２ａを塗布することによって可視光源２が構成され、第１４の実施形態の照明装置では、概略円筒状の可視光源本体部分２ｂの内部に蛍光体２ａを練り込むことによって可視光源２が構成されているが、第１５の実施形態の照明装置では、図１８（Ｂ）に示すように、概略三角柱状の可視光源本体部分２ｂの表面に蛍光体２ａを塗布するか、あるいは、概略三角柱状の可視光源本体部分２ｂの内部に蛍光体２ａを練り込むことによって可視光源２を構成することも可能である。
【００７９】
また、第１６の実施形態の照明装置では、図１８（Ｃ）に示すように、概略直方体形状の可視光源本体部分２ｂの表面に蛍光体２ａを塗布するか、あるいは、概略直方体形状の可視光源本体部分２ｂの内部に蛍光体２ａを練り込むことによって可視光源２を構成することも可能である。
【００８０】
更に、図示しないが、第１７の実施形態の照明装置では、任意の多角柱状の可視光源本体部分２ｂの表面に蛍光体２ａを塗布するか、あるいは、任意の多角柱状の可視光源本体部分２ｂの内部に蛍光体２ａを練り込むことによって可視光源２を構成することも可能である。
【００８１】
また、第１８の実施形態の照明装置では、図１９（Ａ）に示すように、概略円筒状の可視光源本体部分２ｂおよび概略直方体形状の支持部４の両方の表面に蛍光体２ａを塗布するか、あるいは、それらの内部に蛍光体２ａを練り込むことによって可視光源２を構成することも可能である。
【００８２】
更に、第１９の実施形態の照明装置では、図１９（Ｂ）に示すように、概略三角柱状の可視光源本体部分２ｂおよび概略直方体形状の支持部４の両方の表面に蛍光体２ａを塗布するか、あるいは、それらの内部に蛍光体２ａを練り込むことによって可視光源２を構成することも可能である。
【００８３】
また、第２０の実施形態の照明装置では、図１９（Ｃ）に示すように、概略直方体形状の可視光源本体部分２ｂおよび概略直方体形状の支持部４の両方の表面に蛍光体２ａを塗布するか、あるいは、それらの内部に蛍光体２ａを練り込むことによって可視光源２を構成することも可能である。
【００８４】
更に、図示しないが、第２１の実施形態の照明装置では、任意の多角柱状の可視光源本体部分２ｂおよび概略直方体形状の支持部４の両方の表面に蛍光体２ａを塗布するか、あるいは、それらの内部に蛍光体２ａを練り込むことによって可視光源２を構成することも可能である。
【００８５】
以下、本発明の照明装置の第２２の実施形態について説明する。第２２の実施形態の照明装置は、後述する点を除き、上述した第１３の実施形態の照明装置とほぼ同様に構成されている。従って、第２２の実施形態の照明装置によれば、後述する点を除き、上述した第１３の実施形態の照明装置とほぼ同様の効果を奏することができる。
【００８６】
図２０は第２２の実施形態の照明装置を概略的に示した斜視図である。第１３の実施形態の照明装置では、図１６に示すように、リフレクタ３の反射面（内側表面３ａ）が概略放物柱状に形成され、可視光源本体部分２ｂが概略円筒状に形成され、支持部４が概略直方体形状に形成されているが、第２２の実施形態の照明装置では、図２０に示すように、所定の軸線Ｌ０を中心に放物線を回転させることにより得られた回転放物面によってリフレクタ３の反射面（内側表面３ａ）が構成され、可視光源本体部分２ｂが概略球状に形成され、支持部４が概略円筒状に形成されている。
【００８７】
第２２の実施形態の照明装置では、図２０に示すように、可視光源本体部分２ｂに塗布された蛍光体２ａ（図１７参照）に向かって、紫外線ＬＥＤ基板アセンブリ１から紫外光Ａ（図１３参照）が照射されると、紫外光Ａによって蛍光体２ａが励起せしめられる。それにより、蛍光体２ａが可視光Ｂ（図１４参照）を発光し、その蛍光体２ａからの可視光Ｂがリフレクタ３の回転放物反射面（内側表面３ａ）によって配光制御され、図２０の上側に向かって照射される。
【００８８】
そのため、第２２の実施形態の照明装置によれば、リフレクタ３が設けられていない場合よりも、蛍光体２ａが発光した可視光Ｂによって、図２０の上側に配置された物（図示せず）を照らして見えるようにする機能を向上させることができる。詳細には、第２２の実施形態の照明装置によれば、可視光源本体部分２ｂのみならず、リフレクタ３の回転放物反射面（内側表面３ａ）の全面が、図２０の上側から柔らかく光って見えるようにすることができる。
【００８９】
第２２の実施形態の照明装置では、図２０に示すように、可視光源本体部分２ｂが概略球状に形成されているが、第２３の実施形態の照明装置では、可視光源本体部分２ｂを任意の多面体によって構成することも可能である。
【００９０】
以下、本発明の照明装置の第２４の実施形態について説明する。図２１〜図２３は第２４の実施形態の照明装置の断面図である。詳細には、図２１は紫外光Ａが照射されていない状態を示しており、図２２は紫外光Ａが照射されている状態を示しており、図２３は可視光Ｂが照射されている状態を示している。
【００９１】
第２４の実施形態の照明装置では、第１から第２３の実施形態の照明装置とは異なり、蛍光体２ａがリフレクタ３の反射面（内側表面３ａ）に塗布されている。そのため、第２４の実施形態の照明装置によれば、蛍光体２ａを塗布することによって構成された可視光源２を支持するための支持部４（図７参照）を、リフレクタ３とは別個に設ける必要性を排除することができる。つまり、リフレクタ３とは別個に支持部４が設けられる場合よりも、製造コストを抑制することができる。
【００９２】
また、第２４の実施形態の照明装置においても、図２３に示すように、蛍光体２ａからの可視光Ｂが、リフレクタ３によって配光制御される。詳細には、蛍光体２ａからの可視光Ｂが、リフレクタ３の凹状の反射面（内側表面３ａ）によって、反射せしめられ、配光制御される。そのため、第２４の実施形態の照明装置によれば、蛍光体２ａが発光した可視光Ｂが配光制御されない場合よりも、蛍光体２ａが発光した可視光Ｂによって、図２３の上側に配置された物（図示せず）を照らして見えるようにする機能を向上させることができる。
【００９３】
第１から第２４の実施形態の照明装置では、蛍光体２ａが例えば白色の可視光を発光するが、第２５の実施形態の照明装置では、白色以外の可視光を発光する蛍光体を用いることも可能である。
【００９４】
第２６の実施形態では、上述した第１から第２５の実施形態を適宜組合わせることも可能である。
【産業上の利用可能性】
【００９５】
本発明の照明装置は、例えば一般的な照明製品、紫外線励起灯具などに適用可能である。
【図面の簡単な説明】
【００９６】
【図１】第１の実施形態の照明装置の断面図である。
【図２】第１の実施形態の照明装置の断面図である。
【図３】第１の実施形態の照明装置の断面図である。
【図４】一部材によって構成された可視光源本体部分２ｂと、リフレクタ３と、支持部４とを示した断面図である。
【図５】可視光源本体部分２ｂと、リフレクタ３と、支持部４とを図４の右上側から見た斜視図である。
【図６】可視光源本体部分２ｂと、リフレクタ３と、支持部４とを図４の左上側から見た斜視図である。
【図７】第１の実施形態の照明装置の可視光源２を説明するための図である。
【図８】図４〜図６に示した支持領域３ｄを説明するための拡大断面図である。
【図９】可視光源本体部分２ｂのバリエーションを説明するための図である。
【図１０】可視光源本体部分２ｂのバリエーションを説明するための図である。
【図１１】第１２の実施形態の照明装置を概略的に示した斜視図である。
【図１２】第１３の実施形態の照明装置の断面図である。
【図１３】第１３の実施形態の照明装置の断面図である。
【図１４】第１３の実施形態の照明装置の断面図である。
【図１５】一部材によって構成されたリフレクタ３とレンズ部５とを示した断面図である。
【図１６】第１３の実施形態の照明装置の斜視図である。
【図１７】第１３の実施形態の照明装置の可視光源２を説明するための図である。
【図１８】可視光源本体部分２ｂのバリエーションを説明するための図である。
【図１９】可視光源本体部分２ｂのバリエーションを説明するための図である。
【図２０】第２２の実施形態の照明装置を概略的に示した斜視図である。
【図２１】第２４の実施形態の照明装置の断面図である。
【図２２】第２４の実施形態の照明装置の断面図である。
【図２３】第２４の実施形態の照明装置の断面図である。
【符号の説明】
【００９７】
１      紫外線ＬＥＤ基板アセンブリ
２      可視光源
３      リフレクタ
４      支持部
５      レンズ部
Ｐ      焦点
【図１】
2007173177.tif 000003
【図２】
2007173177.tif 000004
【図３】
2007173177.tif 000005
【図４】
2007173177.tif 000006
【図５】
2007173177.tif 000007
【図６】
2007173177.tif 000008
【図７】
2007173177.tif 000009
【図８】
2007173177.tif 000010
【図９】
2007173177.tif 000011
【図１０】
2007173177.tif 000012
【図１１】
2007173177.tif 000013
【図１２】
2007173177.tif 000014
【図１３】
2007173177.tif 000015
【図１４】
2007173177.tif 000016
【図１５】
2007173177.tif 000017
【図１６】
2007173177.tif 000018
【図１７】
2007173177.tif 000019
【図１８】
2007173177.tif 000020
【図１９】
2007173177.tif 000021
【図２０】
2007173177.tif 000022
【図２１】
2007173177.tif 000023
【図２２】
2007173177.tif 000024
【図２３】
2007173177.tif 000025